(57)【要約】分割サイクルエンジンは膨張機を含み、当該膨張機は膨張シリンダ内に収容された膨張ピストンを含んでいる。圧縮機は圧縮シリンダ内に収容された圧縮ピストンを備えている。クロスオーバー通路は、圧縮シリンダと膨張シリンダを相互に接続している。吸気マニホールドは、圧縮シリンダに接続されている。１．７バール絶対圧以上のブースト圧レベルを提供する昇圧装置は、吸気マニホールドに接続されている。吸気バルブは吸気マニホールドと圧縮シリンダの間に配置されている。吸気バルブの閉じは、０.７５以上の圧縮機容積効率を提供するべくタイミング付けられている。圧縮機の排気量は、圧縮機の排気量とブースト圧レベルとの組み合わせが、０.９０以上である周囲状態に対しての膨張機容積効率を提供するように、膨張機排気量に見合った大きさにされている。
2013533424.tif 000002
【特許請求の範囲】
【請求項１】
クランクシャフト軸線の回りに回転可能なクランクシャフトと、
膨張機の排気量を有する膨張機であって、膨張シリンダ内に摺動自在に収容されクランクシャフトに作動可能に連結された膨張ピストンであって、クランクシャフトの単一の回転の間に膨張ストロークと排気ストロークを通して往復動するような膨張ピストンを含む膨張機と、
膨張機の排気量の９０％以下である圧縮機の排気量を有する圧縮機であって、圧縮シリンダ内に摺動自在に収容されクランクシャフトに作動可能に連結された圧縮ピストンであって、クランクシャフトの単一の回転の間に吸気ストロークと圧縮ストロークを通して往復動するような圧縮ピストンを含む圧縮機と、
圧縮シリンダ及び膨張シリンダを相互に接続するクロスオーバー通路であって、そこに配置された少なくともクロスオーバー膨張バルブを含むクロスオーバー通路と、
圧縮シリンダに接続された吸気マニホールドと、
吸気マニホールドに接続され、吸気マニホールドへ１.７バール絶対圧以上のブースト圧レベルを提供すべく作動可能である昇圧装置と、
吸気マニホールドと圧縮シリンダとの間に配置され、その両者間の流体の連通を制御すべく作動可能な吸気バルブであって、吸気マニホールドの状態に対する０.７５以上の圧縮機容積効率を提供するようにタイミング付けられた吸気バルブの閉じ事象を有する吸気バルブと、
圧縮機の排気量とブースト圧レベルの組み合わせが周囲状態に対して０.９０以上の膨張機容積効率を提供するように、膨張機の排気量に対した大きさにされている圧縮機の排気量と、
を備えることを特徴とする分割サイクルエンジン。
【請求項２】
圧縮機は、膨張機排気量の８０％以下である圧縮機の排気量を有することを特徴とする請求項１に記載の分割サイクルエンジン。
【請求項３】
圧縮機は、膨張機排気量の７５％以下である圧縮機の排気量を有することを特徴とする請求項１に記載の分割サイクルエンジン。
【請求項４】
圧縮機は、膨張機排気量の７０％以下である圧縮機の排気量を有することを特徴とする請求項１に記載の分割サイクルエンジン。
【請求項５】
昇圧装置は、吸気マニホールドに２.０バール絶対圧以上のブースト圧レベルを提供すべく作動可能であることを特徴とする請求項１に記載の分割サイクルエンジン。  
【請求項６】
昇圧装置は、吸気マニホールドに２.３バール絶対圧以上のブースト圧レベルを提供すべく作動可能であることを特徴とする請求項１に記載の分割サイクルエンジン。
【請求項７】
昇圧装置は、吸気マニホールドに２.５バール絶対圧以上のブースト圧レベルを提供すべく作動可能であることを特徴とする請求項１に記載の分割サイクルエンジン。
【請求項８】
吸気バルブの閉じ事象が、０.８０以上の吸気マニホールドの状態に対する圧縮機容積効率を提供するためにタイミング付けられていることを特徴とする請求項１に記載の分割サイクルエンジン。
【請求項９】
吸気バルブの閉じ事象が、０.８５以上の吸気マニホールドの状態に対する圧縮機容積効率を提供するためにタイミング付けられていることを特徴とする請求項１に記載の分割サイクルエンジン。
【請求項１０】
吸気バルブの閉じ事象が、０.９０以上の吸気マニホールドの状態に対する圧縮機容積効率を提供するためにタイミング付けられていることを特徴とする請求項１に記載の分割サイクルエンジン。
【請求項１１】
圧縮機の排気量は、圧縮機の排気量とブースト圧力レベルの組み合わせとが、１.０以上である、周囲状態に対する膨張機容積効率を提供するように、膨張機の排気量に合わせた相対的な大きさにされていることを特徴とする請求項１に記載の分割サイクルエンジン。
【請求項１２】
圧縮機の排気量は、圧縮機の排気量とブースト圧力レベルの組み合わせとが、１.１以上である、周囲状態に対する膨張機容積効率を提供するように、膨張機の排気量に合わせた相対的な大きさにされていることを特徴とする請求項１に記載の分割サイクルエンジン。
【請求項１３】
圧縮機の排気量は、圧縮機の排気量とブースト圧力レベルの組み合わせとが、１.２以上である、周囲状態に対する膨張機容積効率を提供するように、膨張機の排気量に合わせた相対的な大きさにされていることを特徴とする請求項１に記載の分割サイクルエンジン。
【請求項１４】
昇圧装置は、２.０バール絶対圧以上のブースト圧レベルを吸気マニホールドに提供するべく作動可能であり、
吸気バルブの閉じ事象は、０.８０以上の吸気マニホールドに対する圧縮機容積効率を提供するべくタイミング付けられ、そして
圧縮機の排気量は、圧縮機の排気量とブースト圧レベルの組み合わせとが、１.０以上である、周囲の状態に対する膨張機容積効率を提供するように、膨張機の排気量に相対的な大きさにされていることを特徴とする請求項１に記載の分割サイクルエンジン。
【請求項１５】
昇圧装置は、２.３バール絶対圧以上のブースト圧レベルを吸気マニホールドに提供するべく作動可能であり、
吸気バルブの閉じ事象は、０.８５以上の吸気マニホールドに対する圧縮機容積効率を提供するべくタイミング付けられ、そして
圧縮機の排気量は、圧縮機の排気量とブースト圧レベルの組み合わせとが、１.１以上である、周囲の状態に対する膨張機容積効率を提供するように、膨張機の排気量に相対的な大きさにされていることを特徴とする請求項１に記載の分割サイクルエンジン。
【請求項１６】
昇圧装置は、ターボチャージャーであることを特徴とする請求項１に記載の分割サイクルエンジン。
【請求項１７】
圧縮機は、複数の圧縮シリンダを含んでいることを特徴とする請求項１に記載の分割サイクルエンジン。
【請求項１８】
膨張機は、複数の膨張シリンダを備えていることを特徴とする請求項１に記載の分割サイクルエンジン。
【請求項１９】
クロスオーバー通路内に配置されたクロスオーバー圧縮バルブを含み、当該クロスオーバー圧縮バルブとクロスオーバー膨張バルブはその間に圧力室を形成していることを特徴とする請求項１に記載の分割サイクルエンジン。
【請求項２０】
分割サイクルエンジンを運転する方法であって、
当該エンジンは、
クランクシャフト軸線の回りに回転可能なクランクシャフトと、
膨張機の排気量を有する膨張機であって、膨張シリンダ内に摺動自在に収容されクランクシャフトに作動可能に連結された膨張ピストンであって、クランクシャフトの単一の回転の間に膨張ストロークと排気ストロークを通して往復動するような膨張ピストンを含む膨張機と、
圧縮機の排気量を有する圧縮機であって、圧縮シリンダ内に摺動自在に収容されクランクシャフトに作動可能に連結された圧縮ピストンであって、クランクシャフトの単一の回転の間に吸気ストロークと圧縮ストロークを通して往復動するような圧縮ピストンを含む圧縮機と、
圧縮シリンダ及び膨張シリンダを相互に接続するクロスオーバー通路であって、そこに配置された少なくともクロスオーバー膨張バルブを含むクロスオーバー通路と、
圧縮シリンダに接続された吸気マニホールドと、
吸気マニホールドに接続され、吸気マニホールドへブースト圧レベルを提供すべく作動可能である昇圧装置と、
吸気マニホールドと圧縮シリンダとの間に配置され、その両者間の流体の連通を制御すべく作動可能な吸気バルブと、を含み、
当該方法は、
圧縮機の排気量を膨張機の排気量の９０％以下の大きさにするステップと、
昇圧装置から吸気マニホールドへ１.７バール絶対圧以上のブースト圧レベルを配分するステップと、
吸気マニホールドの状態に対する圧縮機容積効率が０.７５以上であるように吸気バルブの閉じをタイミング付けるステップと、
圧縮機の排気量とブースト圧レベルの組み合わせが、０.９０以上の、周囲状態に対する膨張機容積効率を提供するように、膨張機の排気量に対する圧縮機の排気量の大きさを設定するステップと、
を含むことを特徴とする方法。              
【請求項２１】
圧縮機の排気量を膨張機の排気量の８０％以下の大きさに設定するステップを含むことを特徴とする請求項２０に記載の方法。
【請求項２２】
圧縮機の排気量を膨張機の排気量の７５％以下の大きさに設定するステップを含むことを特徴とする請求項２０に記載の方法。
【請求項２３】
圧縮機の排気量を膨張機の排気量の７０％以下の大きさに設定するステップを含むことを特徴とする請求項２０に記載の方法。
【請求項２４】
昇圧装置から２.０バール絶対圧以上のブースト圧レベルを吸気マニホールドに配送するステップを含むことを特徴とする請求項２０に記載の方法。
【請求項２５】
昇圧装置から２.３バール絶対圧以上のブースト圧レベルを吸気マニホールドに配送するステップを含むことを特徴とする請求項２０に記載の方法。
【請求項２６】
昇圧装置から２.５バール絶対圧以上のブースト圧レベルを吸気マニホールドに配送するステップを含むことを特徴とする請求項２０に記載の方法。
【請求項２７】
吸気マニホールドの状態に対する圧縮機容積効率が０.８０以上であるように、吸気バルブの閉じタイミングを設定するステップを含むことを特徴とする請求項２０に記載の方法。
【請求項２８】
吸気マニホールドの状態に対する圧縮機容積効率が０.８５以上であるように、吸気バルブの閉じタイミングを設定するステップを含むことを特徴とする請求項２０に記載の方法。
【請求項２９】
吸気マニホールドの状態に対する圧縮機容積効率が０.９０以上であるように、吸気バルブの閉じタイミングを設定するステップを含むことを特徴とする請求項２０に記載の方法。
【請求項３０】
圧縮機の排気量とブースト圧レベルの組み合わせが、１.０以上の、周囲状態に対する膨張機容積効率を提供するように、膨張機の排気量に対する圧縮機の排気量の大きさにするステップを含むことを特徴とする請求項２０に記載の方法。
【請求項３１】
圧縮機の排気量とブースト圧レベルの組み合わせが、１.１以上の、周囲状態に対する膨張機容積効率を提供するように、膨張機の排気量に対する圧縮機の排気量の大きさにするステップを含むことを特徴とする請求項２０に記載の方法。
【請求項３２】
圧縮機の排気量とブースト圧レベルの組み合わせが、１.２以上の、周囲状態に対する膨張機容積効率を提供するように、膨張機の排気量に対する圧縮機の排気量の大きさにするステップを含むことを特徴とする請求項２０に記載の方法。
【発明の詳細な説明】
【技術分野】
【０００１】
本発明は内燃機関に関する。より具体的には、本発明は、従来のオットーサイクルの４つのストロークを、４つのストロークのそれぞれがクランクシャフトの１回転内で完了される状態で、２つの対にされたシリンダ、すなわち、クロスオーバーポートによって接続されている１つの吸気/圧縮シリンダ（圧縮機）と１つの動力／排気シリンダ（膨張機）とに分割しているターボ過給された分割サイクルエンジンに関する。
【背景技術】
【０００２】
明瞭化の目的のために、本出願で用いられる用語「従来のエンジン」とは、周知のオットーサイクルの４つのストローク（吸気、圧縮、膨張（又は動力）及び排気のストローク）の全てが、エンジンのピストン／シリンダの各組み合わせに含まれている内燃機関を指す。各ストロークは、クランクシャフトの１／２回転（１８０度クランク角（ＣＡ））を必要とし、そして、クランクシャフトの２つの完全な回転（７２０度ＣＡ）が、従来のエンジンの各シリンダで全体のオットーサイクルを完了するために必要とされる。
【０００３】
また、明確化の目的のために、次の定義が、先行技術に開示されているエンジンに適用されるように、かつ、本出願で言及されるように、用語「分割サイクルエンジン」について提供されている。すなわち、
分割サイクルエンジンは、
クランクシャフト軸線の回りに回転可能なクランクシャフトと、
圧縮シリンダ内に摺動自在に収容され、クランクシャフトに作動可能に連結されている圧縮ピストンであって、当該圧縮ピストンがクランクシャフトの単一の回転の間に吸気ストロークと圧縮ストロークを通して往復移動するようにクランクシャフトに連結されている圧縮ピストンを含む圧縮機と、
膨張シリンダ内に摺動可能に収容され、クランクシャフトに作動可能に連結されている膨張（動力）ピストンであって、当該膨張ピストンがクランクシャフトの単一の回転の間に膨張ストロークと排気ストロークを通して往復移動するようにクランクシャフトに連結されている膨張ピストンを含む膨張機と、
圧縮シリンダと膨張シリンダとを相互に接続しているクロスオーバー通路であって、内部に配置された少なくともクロスオーバー膨張（XovrE）バルブを含むか、より好ましくは、間に圧力室を画定するクロスオーバー圧縮（XovrC）バルブとクロスオーバー膨張（XovrE）バルブとを含んでいるクロスオーバー通路と、を備えている。
【０００４】
２００３年４月８日にＣarmelo J Scuderiに付与された特許文献１（米国特許第６、５４３、２２５号）（Scuderi特許）及び２００５年１０月１１日にDavid P. Branyonらに付与された特許文献２(米国特許第６、９５２、９２３号）（Branyon特許）は、それぞれ、分割サイクルと同様のタイプのエンジンの広範な議論を含んでいる。加えて、Scuderi特許とBranyon特許は、本発明がさらなる進展を含んでいるエンジンの先行するバージョンの詳細を開示している。Scuderi特許とBranyon特許の両者は、その全体が参照により本明細書に組み込まれている。
【０００５】
図１を参照するに、Branyon特許及びScuderi特許に記載されているものと同様のタイプの分割サイクルエンジンの先行技術の例示的な実施形態が、符号１０で概略的に示されている。分割サイクルエンジン１０は、従来のエンジンの２つの隣接するシリンダを、１つの圧縮シリンダ１２と１つの膨張シリンダ１４との組み合わせに置き換えている。シリンダヘッド３３が、典型的には、シリンダを覆って密封するべく膨張及び圧縮シリンダ１２、１４の開放端の上に配置されている。
【０００６】
オットーサイクルの４つのストロークは、圧縮シリンダ１２がそれに関連付けられた圧縮ピストン２０と一緒に吸入及び圧縮ストローク（圧縮シリンダ１２とピストン２０は総称して圧縮機（１２、２０）と呼ばれる）を実行し、及び膨張シリンダ１４がそれに関連付けられた膨張ピストン３０と一緒に膨張及び排気ストローク（膨張シリンダ１４とピストン３０は一括して膨張機（１４、３０）と呼ばれる）を実行するように、２つのシリンダ１２と１４とで「分割」されている。オットーサイクルは、したがって、クランクシャフト軸線１７回りのクランクシャフト１６の回転（３６０°ＣＡ）ごとに一度、これらの２つのシリンダ１２、１４で完成される。
【０００７】
吸気ストロークにおいて、吸気がシリンダヘッド３３内に配置された吸気マニホールド（ポート）１９を介して、圧縮シリンダ１２内に引き込まれる。内側に開く（シリンダ内にピストンに向かって内側に開く）ポペット吸気バルブ１８が、吸気マニホールド１９と圧縮シリンダ１２との間の流体の連通を制御する。吸気は吸気マニホールド内で約大気圧である。
【０００８】
圧縮ストロークにおいて、圧縮ピストン２０は空気充填物を加圧し、XovrCの開時に、当該空気充填物を典型的にはシリンダヘッド３３内に配置されているクロスオーバー通路（ポート）２２に押し出す。これは、圧縮シリンダ１２及び圧縮ピストン２０が、膨張シリンダ１４のための吸気通路として作用するクロスオーバー通路２２への高圧ガスの供給源であることを意味している。いくつかの実施形態では、２つ以上のクロスオーバー通路２２が、圧縮シリンダ１２及び膨張シリンダ１４を相互に接続している。
【０００９】
分割サイクルエンジン１０（及び一般的な分割サイクルエンジン）の圧縮シリンダ１２の容積測定の（すなわち、幾何学的な）圧縮比は、本明細書において、分割サイクルエンジンの「圧縮比」と呼ばれる。分割サイクルエンジン１０（及び一般的な分割サイクルエンジン）の膨張シリンダ１４の容積測定の（すなわち、幾何学的な）圧縮比は、本明細書において、分割サイクルエンジンの「膨張比」と呼ばれる。シリンダの圧縮比は、ピストンがその上死点（ＴＤＣ）位置にあるときにシリンダ内に囲まれる容積（すなわち、隙間容積）に対する、往復運動するピストンがその下死点（ＢＤＣ）の位置にあるときにシリンダ（全ての凹部を含む）内に囲まれる（すなわち捕捉される）容積の比として、当該技術分野では知られている。具体的には、本明細書で定義される分割サイクルエンジンについて、クロスオーバー通路（複数）の容積は、圧縮シリンダの圧縮比の決定のためには含まれていない。また、具体的には、本明細書に定義されている分割サイクルエンジンについて、クロスオーバー通路（複数）の容積は膨張シリンダの膨張比の決定には含まれていない。
【００１０】
非常に高い圧縮比（例えば、２０対１、３０対１、４０対１又はそれ以上）のせいで、クロスオーバー通路の入口２５において、外開きの（シリンダ及びピストンから離れて外方に開く)ポペットクロスオーバー圧縮バルブ(XovrC)２４が圧縮シリンダ１２からクロスオーバー通路２２への流れを制御するために用いられている。非常に高い膨張比（例えば、２０対１、３０対１、４０対１又はそれ以上）のせいで、クロスオーバー通路２２の出口２７において、外開きのポペットクロスオーバー膨張バルブ(XovrE)２６がクロスオーバー通路２２から膨張シリンダ１４への流れを制御している。XovrC及びXovrEバルブ２４、２６の作動速度及び位相付けは、オットーサイクルの４つのストロークの全ての間にクロスオーバー通路２２の圧力を高い最小圧力(典型的には全負荷時に２０バール以上、例えば、４０ないし５０バール)に維持するようにタイミング付けられている。
【００１１】
少なくとも１つの燃料インジェクター２８が、クロスオーバー通路２２の出口端において、膨張ピストン３０がその上死点位置に到達する直前に起こる当該XovrEバルブ２６の開きに対応させて、加圧された空気に燃料を噴射する。このとき、クロスオーバー通路２２内の圧力の膨張シリンダ１４内の圧力に対する圧力比は、クロスオーバー通路内の最低圧力が、通常、エンジンの全負荷において２０バール絶対圧以上であり、そして排気ストローク中の膨張シリンダ内の圧力が、典型的には、約１ないし２バール絶対圧であるという事実の故に、高い。換言すると、XovrEバルブ２６が開いたときに、クロスオーバー通路２２内の圧力は膨張シリンダ１４内の圧力よりも（典型的には、エンジンの全負荷で２０対１以上のオーダーで）実質的に高い。この高い圧力比は、空気及び／又は燃料充填物の初期流れが高速度で膨張シリンダ１４内に流れるのを生じさせる。これらの高速流れは音速に到達し、音速流と称される。空気／燃料充填物は、いくつかの動作状態の下では上死点（ＴＤＣ）の少し前に入り始めるかもしれないが、通常は、膨張ピストン３０が上死点（ＴＤＣ）の位置に到達した直後に膨張シリンダ１４に入る。ピストン３０が上死点位置から降下を開始し、XovrEバルブ２６がまだ開いている間に、シリンダ１４内に突出しているスパークプラグ先端３９を含んでいるスパークプラグ３２が点火され、スパークプラグ先端部３９の周りの領域での燃焼を開始させる。燃焼は、膨張ピストンがその上死点（ＴＤＣ）位置を過ぎて１ないし３０度ＣＡの間で開始されてもよい。より好ましくは、燃焼は、膨張ピストンがその上死点（ＴＤＣ）位置を過ぎて５ないし２５度ＣＡの間に、開始されてもよい。最も好ましくは、燃焼は、膨張ピストンがその上死点（ＴＤＣ）位置を過ぎて１０ないし２０度ＣＡの間に、開始されてもよい。さらに、燃焼は、グロープラグ、マイクロ波点火装置又は圧縮着火方式などによる、他の点火装置及び/又は方法によって開始されてもよい。空気/燃料充填物の音速流は、分割サイクルエンジン１０にとって特に有利である。というのも、それは、膨張ピストン３０がその上死点位置から降下している間に着火が開始されたとしても、分割サイクルエンジン１０が高い燃焼圧力を維持することを可能にする急速燃焼事象を生じさせるからである。
【００１２】
燃焼が開始された後に、しかし結果としての燃焼事象がクロスオーバー通路２２に入る前に、XovrEバルブ２６は閉じられる。燃焼事象は、動力ストロークにおいて膨張ピストン３０を下方に駆動する。
【００１３】
排気ストロークの間に、排気ガスはシリンダヘッド３３に配置されている排気ポート３５を介して膨張シリンダ１４の外に送出される。排気ポート３５の入口３１に配置されている内開きのポペット排気バルブ３４は、膨張シリンダ１４と排気ポート３５との間の流体の連通を制御する。
【００１４】
典型的には、例えば、図１に示すような自然吸気分割サイクルエンジンでは、空気の所与の充填物（すなわち、マス）を吸入するのに要求される圧縮シリンダの排気量（Ｖｄ）は、同じ空気の充填物のために、従来のエンジンのシリンダに要求される排気量よりも大きい。自然吸気の分割サイクルエンジンの圧縮シリンダは、より大きく作成されねばならない。というのも、エンジン運転中には、常に圧縮シリンダ内に、圧縮ストロークの終わりに捕捉されて圧縮された空気のマスが存在するからである。したがって、当該圧縮ストロークに直ちに続く後続の吸気ストロークにおいて、捕捉された空気のマスの圧力が大気圧に等しくなるように圧縮ピストンが上死点から十分に下がるまでは、吸気が圧縮シリンダ内に吸入され得ない。このように、吸気ストロークの間に圧縮シリンダによって掃引される容積の一部は、吸気のために利用されていない。そのために、吸気ストロークの残りの期間に吸入空気の必要量を吸入するのに十分な容積を有するように、圧縮シリンダがより大きく作成されねばならないのである。この排気容積の増加は、典型的な自然吸気分割サイクルエンジンの、エンジン排気量当たりのブレーキ出力として定義され、通常、キロワット／リットル又は馬力／リットルとして表現されている出力密度（すなわち、比出力）を減少させる。
【００１５】
また、ミラーサイクルを用いた従来のエンジンを動作させることもまた、内燃機関の技術分野で知られている。内燃機関の効率は、ガスが圧縮ストローク中に圧縮されるよりも膨張ストローク中により多く膨張されるなら増加される。従来のエンジンのミラーサイクルでは、これは典型的には膨張比に対する有効圧縮比を低下させる早期又は遅期の吸気バルブの閉じ（ＩＶＣ）によって達成される。例えば、従来のエンジンの吸気バルブが遅期（すなわち、吸気ストロークに続く圧縮ストローク中）に閉じられる場合、吸気ストローク中にシリンダ内に吸込まれた吸気の一部は、吸気ポートを介してシリンダ外に押し戻される。吸気バルブは、圧縮ストロークの最初の約２０％の間、開いて保たれてもよい。したがって、実際の圧縮は、圧縮ストロークの最後の約８０％で起こるのみである。
【先行技術文献】
【特許文献】
【００１６】
【特許文献１】米国特許第６、５４３、２２５号明細書
【特許文献２】米国特許第６、９５２、９２３号明細書
【発明の概要】
【発明が解決しようとする課題】
【００１７】
図２Ａを参照するに、ミラーサイクル運転を行うために、遅期の吸気バルブ閉じ（ＩＶＣ）を利用した自然吸気エンジンの圧力対容積（ＰＶ）ダイアグラムの例示的な実施形態が示されている。この実施形態は、自然吸気エンジンを図示しているけれども、同じ原理が同様にターボ過給エンジンにも適用されることが知られている。
【００１８】
図２Ａに示されるように、ＴＤＣからＢＤＣへのピストンの吸気ストロークの間に、シリンダ圧力はポイント６からポイント１を経由し、そして最後にポイント５に至る一定の圧力線に従う。後続の圧縮ストロークの最初の部分では、吸気バルブが開かれて残っている間、当該シリンダ圧力はポイント５からポイント１に戻る圧力線をたどる。その後、ポイント１で吸気バルブが閉じて、そしてシリンダ圧力は圧縮ストロークの残りの期間にポイント１からポイント２にまで上昇する。経路１から５に沿ってピストンによって掃引された容積は、経路５から１に沿って掃引された容積によって相殺され、有効圧縮比は、オットーサイクルのためのポイント２での容積で除されたポイント５での容積ではなく、ポイント２での容積で除されたポイント１での容積である。
【００１９】
図２Ｂを参照するに、同様の作用効果を早期の吸気バルブの閉じによって、ミラーサイクルにおいて達成することができる。この場合、圧力はポイント６からポイント１までの吸気ストローク中に一定のままである。その後、ポイント１で吸気バルブが閉じて、シリンダ内の圧力がポイント１からポイント７まで減少する。その後の圧縮ストロークでは、圧力は以前に追跡された経路を相殺してポイント７からポイント１まで増加し、そして圧縮ストロークの残りの期間にポイント２まで続く。正味の結果は、遅期の吸気バルブの閉じと同じである。すなわち、ピストンの全ストロークより少ないストロークが圧縮のために有効に使用され、それによってサイクル当たりの充填物のマスを減少させながら効率向上のための有効な圧縮比を小さくしている。
【００２０】
ミラーサイクルの効率（典型的には、１０ないし１５％オットーサイクルよりも大きい）の増加は、給気の喪失の結果である、図示平均有効圧力（ＩＭＥＰ）及び出力密度においての減少の分、否定的に相殺されている。何故ならば、シリンダ内の全排気量の一部のみが充填空気で満たされる（すなわち、排気量が犠牲にされている）からである。したがって、オットーサイクルエンジンにおけるのと同じ出力量を達成するためには、ミラーサイクルエンジンは、典型的に、より大きく作られるか、ブーストされるか、又はより攻撃的にブーストされねばならない。
【００２１】
さらに、ＩＶＣが遅ければ遅く又は早ければ早く起こるほど、ピストンはより速く移動し、したがって、吸気バルブが閉じるときに、空気が吸気バルブをより速く流れる。これは、従来のミラーサイクルエンジンのエンジン効率（すなわち、ブレーキ燃料消費率（ＢＳＦＣ））を大幅に低下させる、重大なポンピング損失につながる。
【課題を解決するための手段】
【００２２】
Scuderiエンジンは、従来のオットーサイクルの４つのストロークを（その最も単純な構成で）圧縮機と膨張機の対に分ける分割サイクル設計である。圧縮機は、少なくとも１つの圧縮シリンダと吸気及び圧縮ストロークを通して往復する関連する圧縮ピストンとを含んでいる。膨張機は、少なくとも１つの膨張シリンダと膨張（又は動力）及び排気ストロークを通して往復する関連する膨張ピストンとを含んでいる。膨張機と圧縮機はクロスオーバー通路によって接続されている。
【００２３】
往復動内燃機関（ＲＩＣＥ）のミラーサイクル運転は、ＲＩＣＥが分割サイクル又は従来のものであるかどうかによらず、ガスが圧縮ストローク中に圧縮されるのよりもガスが膨張ストローク中により多く膨張されるように、エンジンが構成されることを必要としている。従って、ガスが膨張ストローク中に過剰に膨張されるであろうし、効率の増大（すなわち、ブレーキ燃料消費率（ＢＳＦＣ）の減少）の結果となる。従来のＲＩＣＥにおいて、ミラー運転は、通常、早期又は遅期の吸気バルブの閉じ（ＩＶＣ）によって行われている。しかしながら、分割サイクルエンジンにおいては、ミラーサイクル運転は、膨張機の排気量に対する圧縮機の排気量を物理的に低減することによって達成することができる。
【００２４】
分割サイクルエンジンのミラーサイクルの構成は、分割サイクルエンジンの膨張機に対して小型化された分割サイクルエンジンの圧縮機に接続されているターボ過給の吸気マニホールドで構成され、１次元サイクルシミュレーションソフトウェアでモデリングされている。いくつかの肯定的な相互作用が、分割サイクルエンジンとミラーサイクルの動作原理の間に発見された。すなわち、
１）分割サイクルエンジンでミラー運転を実現するために膨張機に対して圧縮機を小型化することは、圧縮機の排気量の一部を浪費せずに低減された圧縮を達成する。これに反して、従来のＲＩＣＥを全負荷時のミラー運転用に構成するためには、そのシリンダがその膨張ストロークの全排気量に対応できる大きさでなければならず、かつその排気量の一部が圧縮ストローク中に早期もしくは遅期のＩＶＣを受け入れるべく浪費されることが必要である。分割サイクルエンジンにおける圧縮機の排気量の減少は、一般的に、ミラーサイクル運転を伴う従来のＲＩＣＥに比べて、より高いブレーキ平均有効圧力（ＢＭＥＰ）をもたらす。
【００２５】
２）圧縮機の排気量の減少は、最適に捕捉されたマスの状態（すなわち、最適な容積効率）又はそれの近くで吸気バルブを閉じながらの、ミラーサイクル運転を可能にする。このことは、高いピストン（したがって、空気）速度の期間中に、吸気バルブを閉じることが回避されるために、従来のＲＩＣＥに適用されたミラーサイクルに比べて、減少されたポンピング仕事に帰する。
【００２６】
３）ＲＩＣＥが分割サイクル又は従来のものであっても、ミラー因子（すなわち、圧縮ストローク中におけるガスの圧縮に対する膨張ストローク中のガスの膨張の比）の大きさが、分割サイクルエンジンの圧縮機からターボチャージャー圧縮機へシフトされる圧縮仕事の負荷のレベルを決定する。ターボのコンプレッサはタービンを介して排気ガスによって駆動されているので、それはクランクシャフトのエネルギーの観点からは低い「コスト」で圧縮し、クランクシャフトに配分される仕事において正味の増加をもたらす。アフタークーリングでもって、これはまた全体の圧縮工程のより後期での冷却を許容し、同じ圧力に対してより低い圧縮終了温度の結果となる。当該より低い圧縮終了温度のノック抑制アスペクトは、より積極的なミラー因子で圧縮圧力を高めることを可能にし、より高い総空気量及び燃料流量、よって出力の結果となる。従来のＲＩＣＥよりもより積極的なミラー因子運転を利用するための前述した分割サイクルの能力は、分割サイクルエンジンがミラーサイクルのこれらの特性のより大きな利点を活用することを可能にしている。
【００２７】
４）エンジンによって用いられる運転上の制約（すなわち、ノックフラクション、膨張シリンダのピーク圧力など）の範囲内での所与の昇圧レベルのためには、圧縮機と膨張機の両方の容積効率が最適又はそれに近いときに、分割サイクルエンジンは最も効率的である。典型的には、圧縮機の容積効率は吸気マニホールドの状態に対応して測定され、少なくとも０.７５、より好ましくは少なくとも０.８、さらにより好ましくは少なくとも０.８５、最も好ましくは少なくとも０.９、である必要がある。典型的には、膨張機の容積効率は周囲の状態に対して測定され、少なくとも０.９０、より好ましくは少なくとも１.０、さらにより好ましくは少なくとも１.１、最も好ましくは少なくとも１.２、である必要がある。
【００２８】
より詳しくは、本発明の例示的な実施形態において、分割サイクルエンジンはクランクシャフト軸線回りに回転可能なクランクシャフトと膨張機排気量を有する膨張機を含んでいる。当該膨張機は、膨張シリンダ内に摺動自在に収容された膨張ピストンを含み、当該膨張ピストンはクランクシャフトの単一の回転の間に、膨張ストロークと排気ストロークを通して往復移動するようにクランクシャフトに作動可能に連結されている。分割サイクルエンジンはまた、膨張機の排気量よりも９０％以下である圧縮機の排気量を有する圧縮機を含んでいる。当該圧縮機は、圧縮シリンダ内に摺動自在に収容された圧縮ピストンを含み、当該圧縮ピストンはクランクシャフトの単一の回転の間に、吸気ストロークと圧縮ストロークを通して往復移動するようにクランクシャフトに作動可能に連結されている。クロスオーバー通路は、当該圧縮シリンダ及び膨張シリンダを相互に接続している。当該クロスオーバー通路は、その中に配置された少なくともクロスオーバー膨張バルブを含んでいる。吸気マニホールドは、圧縮シリンダに接続している。昇圧装置が吸気マニホールドに接続されており、当該吸気マニホールドへ１.７バール絶対圧以上のブースト圧レベルを提供するように作動可能である。吸気バルブが吸気マニホールドと圧縮シリンダの間に配置され、両者間の流体の連通を制御すべく作動可能である。当該吸気バルブは、吸気マニホールドの状態に対して０.７５以上の圧縮シリンダの容積効率を提供すべくタイミング付けられている吸気バルブの閉じ事象を有している。圧縮機の排気量は、圧縮機の排気量とブースト圧レベルとの組み合わせが、周囲の状態に対して０.９０以上である膨張機容積効率を提供するように、膨張機の排気量に見合った大きさにされている。
【００２９】
ブースト作動装置は、ターボチャージャーであってもよい。圧縮機は複数の圧縮シリンダを含むことができ、膨張機は複数の膨張シリンダを含むことができる。当該分割サイクルエンジンはまた、クロスオーバー通路内に配置されたクロスオーバー圧縮バルブを含むことができ、当該クロスオーバー圧縮バルブ及びクロスオーバー膨張バルブは両者間に圧力室を形成している。
【００３０】
圧縮機の排気量は、膨張機の排気量の８０％以下、７５％以下、あるいは７０％以下でもよい。昇圧装置は、２.０バール絶対圧以上、２.３バール絶対圧以上、又は２.５バール絶対圧以上のブースト圧力レベルを提供すべく作動可能であってもよい。吸気マニホールドの状態に対する圧縮機の容積効率は、０.８０以上、０.８５以上、又は０.９０以上でさえあってもよく、一方、周囲の状態に対する膨張機の容積効率は１.０以上、１.１以上、あるいは１.２以上でさえあってもよい。
【００３１】
分割サイクルエンジンを動作させる方法も開示されている。分割サイクルエンジンは、クランクシャフト軸線の回りに回転可能なクランクシャフトと膨張機排気量を有する膨張機を含んでいる。膨張機は、膨張シリンダ内に摺動自在に収容され、クランクシャフトに作動可能に連結された膨張ピストンであって、クランクシャフトの単一の回転の間に膨張ストロークと排気ストロークを通して往復動するような膨張ピストンを含んでいる。分割サイクルエンジンはまた、圧縮機排気量を有する圧縮機を含んでいる。圧縮機は、圧縮シリンダ内に摺動自在に収容され、クランクシャフトに作動可能に連結された圧縮ピストンであって、クランクシャフトの単一の回転の間に吸気ストロークと圧縮ストロークを通して往復動するような圧縮ピストンを含んでいる。クロスオーバー通路は、圧縮シリンダ及び膨張シリンダを相互に接続している。クロスオーバー通路は、その中に配置された少なくともクロスオーバー膨張バルブを含んでいる。吸気マニホールドは、圧縮シリンダに接続している。昇圧装置は、吸気マニホールドに接続されており、吸気マニホールドにブースト圧レベルを提供するように作動可能である。吸気バルブは、吸気マニホールドと圧縮シリンダの間に配置され、その両者間の流体の連通を制御するように作動可能である。本発明による方法は、以下のステップを含んでいる。圧縮機の排気量を膨張機排気量の９０％以下となる大きさにすること、昇圧装置から吸気マニホールドに１.７バール絶対以上のブースト圧レベルを分配すること、吸気マニホールドの状態に対する圧縮機容積効率が０.７５以上であるように吸気バルブの閉じをタイミング付けること、及び圧縮機の排気量及びや過給圧レベルの組み合わせが、周囲状態に対する０.９０以上の膨張機の容積効率を提供するように、膨張機の排気量に対しての圧縮機の排気量の大きさにすることである。
【００３２】
本発明のこれら及び他の特徴及び利点は、添付図面と共になされる本発明の以下の詳細な説明から理解されるであろう。
【図面の簡単な説明】
【００３３】
【図１】従来技術の分割サイクルエンジンの断面図である。
【図２Ａ】遅期の吸気バルブの閉じで実行された従来のミラーサイクルエンジンについての先行技術の圧力対容積線図のグラフ図解である。
【図２Ｂ】早期の吸気バルブの閉じで実行された従来のミラーサイクルエンジンについての先行技術の圧力対容積線図のグラフ図解である。
【図３】本発明に係るターボ過給分割サイクルエンジンの例示的な実施形態の横断面図である。
【図４】燃料インジェクターが重畳された、図３の３-３線を通って取られた分割サイクルエンジンの断面平面図である。
【図５】１．７バール絶対圧の固定ブーストで圧縮機のストローク長さの関数としての、ブレーキ燃料消費率（ＢＳＦＣ）、ブレーキ平均有効圧力（ＢＭＥＰ）及び容積効率（Vol_Eff）のグラフ図解である。
【図６】エンジン全負荷でエンジン速度４０００rpmにおいて、１.７バール絶対圧、２.０バール絶対圧、及び２.３バール絶対圧のブーストレベルでの圧縮機ストローク長さの関数としての、分割サイクルエンジンの圧縮機及び膨張機の容積効率のグラフ図解である。
【図７】ピストン圧縮についての温度と圧力に対してピストン圧縮に続くターボ圧縮についての温度と圧力を比較したグラフ図解である。
【図８】１４００ｒｐｍのエンジン速度（低速）と４０００ｒｐｍのエンジン速度（高速）での高及び低効率ターボチャージャーのブーストレベルの関数としての、全体的なターボチャージャー効率想定のグラフ図解である。
【図９】図８の低効率ターボチャージャー及び高効率ターボチャージャーについて、１４００ rpmのエンジン速度でのブーストレベル（及び対応する圧縮機のストローク長さ）の関数としてのブレーキ平均有効圧力（ＢＭＥＰ）と燃料消費率（ＢＳＦＣ）のグラフ図解である。
【図１０】図８の低効率ターボチャージャー及び高効率ターボチャージャーについて、４０００ rpmのエンジン速度でのブーストレベル（及び対応する圧縮機のストローク長さ）の関数としてのブレーキ平均有効圧力（ＢＭＥＰ）と燃料消費率（ＢＳＦＣ）のグラフ図解である。
【図１１】３バール絶対圧以下のブーストでエンジンの全負荷時における、エンジン速度の関数としてのブレーキ平均有効圧力（ＢＭＥＰ）、圧縮シリンダのピーク圧力、及び膨張シリンダのピーク圧力のグラフ図解である。
【発明を実施するための形態】
【００３４】
本明細書で使用される略語及び用語の定義の以下の用語集が、参照及び明確化のために提供されている。
【００３５】
バール（Bar）：  圧力の単位であり、１バール= １０5 N/m2である。
【００３６】
バール絶対圧（Bar-abs）：  完全な真空を基準にしての圧力であり、すなわち、標準大気圧は１.０１３バール絶対圧に等しい。
【００３７】
ＢＭＥＰ：  ブレーキ平均有効圧力である。用語「ブレーキ」は、摩擦及び寄生損失（ＦＭＥＰ）が計上された後のクランクシャフト（出力軸）に分配されるときの出力を指している。ブレーキ平均有効圧力（ＢＭＥＰ）は、平均有効圧力（ＭＥＰ）の値で表現されたエンジンのブレーキトルク出力である。ＢＭＥＰは、エンジン排気量で除されたブレーキトルクに比例する。これは、摩擦による損失が取られた後の性能パラメータである。したがって、ＢＭＥＰ=ＩＭＥＰ-ＦＭＥＰである。摩擦、この場合には、摩擦平均有効圧力（すなわちＦＭＥＰ）として知られているＭＥＰの値で通常は表されている。この定義では、典型的な摩擦の値（損失）はＦＭＥＰの正の値であり、換言すると、正のＦＭＥＰは、クランクシャフトに与えられる仕事の正味の減少となる。
【００３８】
ブースト又はブースト圧力レベル：  ターボチャージャーのような昇圧装置からのバール絶対圧での吸気マニホールド圧力である。
【００３９】
ブレーキ燃料消費率（ＢＳＦＣ）：  往復動エンジン内の燃料効率の尺度である。それは生成されたブレーキ出力で除された燃料消費の割合であり、典型的にはキロワット時当たりのグラム（g /（kW-hr））の単位で表される。ＢＳＦＣもまた、出力燃料消費率と考えることができる。
【００４０】
分割サイクルエンジンの圧縮機：  分割サイクルエンジンの運転サイクルのための圧縮ストローク中に、少なくとも１つの共通の膨張シリンダに圧縮空気を供給する圧縮シリンダと関連するピストンの総数をいう。典型的には、分割サイクルエンジンの圧縮機は、単一の圧縮シリンダとそれに関連付けられた圧縮ピストンを含んでいる。しかしながら、圧縮機が複数の圧縮シリンダとピストンとを含むことも可能である。
【００４１】
分割サイクルエンジンの圧縮機排気量：  圧縮機の各圧縮シリンダが組み合わされた合計排気量（Ｖｄ）である。
【００４２】
従来の、又は分割サイクルのシリンダの排気量（Ｖｄ）：  ピストンがその下死点位置からその上死点位置に移動するとき、エンジンのシリンダ内でピストンによって排気される量である。
【００４３】
従来のエンジンの有効圧縮比：  シリンダのピストンがその上死点位置にあるときのシリンダ内の容積に対しての、シリンダのピストンがその吸気バルブの閉じる位置にあるときの従来のエンジンのシリンダ内の容積の比率である。
【００４４】
分割サイクルエンジンの膨張機：  分割サイクルエンジンの運転サイクルのための膨張ストロークの間に、少なくとも１つの共通の圧縮シリンダからの圧縮空気を受ける膨張シリンダ及び関連するピストンの総数である。典型的には、分割サイクルエンジンの膨張機は、単一の膨張シリンダとそれに関連付けられた膨張ピストンを含んでいる。しかしながら、膨張機が複数の膨張シリンダとピストンを含むことも可能である。
【００４５】
分割サイクルエンジンの膨張機排気量：  膨張機の各膨張シリンダの組み合わされた合計排気量（Ｖｄ）である。
【００４６】
ＦＭＥＰ：  摩擦平均有効圧力である。エンジンフリクションと寄生損失を克服するために必要とされる理論的な平均有効圧力である。摩擦のために失われた平均有効圧力損失と考えることができる。この議論のために定めると、摩擦損失は正のＦＭＥＰの値であるということである。
【００４７】
全（１００％）エンジン負荷：  エンジンが所定の速度で生成することができる最大トルクである。
【００４８】
従来エンジンの幾何学的な圧縮比：  従来のエンジンのシリンダのピストンがその上死点位置にあるときのシリンダ内の容積に対する、シリンダのピストンがその下死点位置にあるときのシリンダ内の容積の比である。
【００４９】
従来エンジンの幾何学的な膨張比：  圧縮及び膨張のストロークが同一のシリンダ内に含まれている従来のエンジンについては、圧縮比と膨張比は同一である。
【００５０】
図示の（Indicated）：  摩擦損失が考慮される前に、ピストンの頂部に分配される出力を指す。
【００５１】
図示平均有効圧力（ＩＭＥＰ）：  シリンダ圧力から計算される平均有効圧力である。ＩＭＥＰはまたＰＶ曲線の内側の領域の積分であり、排気量で除された図示エンジントルクに比例する。実際には、全ての図示されたトルクと出力の値は、このパラメータからの派生である。
【００５２】
ＩＶＣ：  吸気バルブの閉じ、すなわち、吸気バルブの閉じる事象。圧縮ピストンの下死点（ＢＤＣ）に関連しての吸気バルブの閉じるタイミングである。早期吸気バルブの閉じは、ＢＤＣ前の吸気バルブの閉じであり、遅期吸気バルブの閉じはＢＤＣ後の吸気バルブの閉じである。
【００５３】
ノック：  空気／燃料混合物の圧縮中での自己着火の傾向である。
【００５４】
ノックフラクション（また、一般にノックインデックス又はノックマージン又はノック数と呼ばれる）：  圧縮中に特定の空気/燃料混合物が自己着火に到達する傾向の相対的な指標を提供する予測パラメータである。自己着火は、通常、「１」の値のノックフラクションで表され、一方、自己着火する傾向が無いのは、通常ゼロのノックフラクションで表される。例えば、０.８のノックフラクションは、自己着火のための物理的及び化学的状態の前提が自己着火を生成するために必要な値の８０％に達したことを示す。
【００５５】
ｍｍ：  ミリメートル。
【００５６】
寄生損失：  アクセサリーや補助装置を動作させるためにエンジンが被ったエネルギーの損失である。これは、ポンプや電気発生装置などの物品を駆動するためのエネルギーを含んでいる。エンジンのブレーキ出力は、これらの損失によって減少される。
【００５７】
出力密度（すなわち比出力）：  エンジン排気量当りのブレーキ出力（クランクシャフトで発生された出力）であり、通常、キロワット/リットル又は馬力/リットルで表される。
【００５８】
ＲＩＣＥ：往復動内燃機関である。往復動するピストンと内燃プロセスを有する任意のエンジンであり、従来のエンジン又は分割サイクルエンジンのいずれであってもよい。
【００５９】
ＲＰＭ（ｒｐｍ）：  毎分回転数である。
【００６０】
分割サイクルエンジンの排気量：  分割サイクルエンジンの圧縮機と膨張機の排気量の合計である。
【００６１】
ターボ：  ターボチャージャーである。
【００６２】
従来の、又は分割サイクルの容積効率：  Vol_Effと略称される。基準位置と同じ圧力及び温度の空気で満たされた場合に、シリンダの排気容積に捕捉される空気の理論上の質量（マス）に比べての、サイクルの閉じ部分の間にシリンダ内に捕捉された空気の実際の質量（マス）の比である。基準位置は、通常、周囲の状態（すなわち、大気の温度と圧力での空気）又は吸気マニホールドの状態（吸気マニホールドの温度及び圧力での空気）のどちらかである。容積効率は以下の式で定義され得る：Vol_Eff= ma／（ｄa*Ｖd）、ここで「ma」は、サイクル当たりにシリンダ内に捕捉された空気の質量（マス）であり、「da」は基準状態での空気の密度であり、そして「Ｖｄ」は本明細書で定義されているシリンダ排気量である。
【００６３】
分割サイクルエンジンの圧縮機の容積効率：  基準位置と同じ圧力及び温度の空気で満たされた場合に、圧縮機の排気容積に捕捉される空気の理論上の質量（マス）に比べての、サイクルの閉じ部分の間に圧縮機に捕捉された空気の実際の質量（マス）の比である。
【００６４】
分割サイクルエンジンの膨張機の容積効率：  基準位置と同じ圧力及び温度の空気で満たされた場合に、膨張機の排気容積に捕捉される空気の理論上の質量（マス）に比べての、サイクルの閉じ部分の間に膨張機に捕捉された空気の実際の質量（マス）の比である。
【００６５】
XOVER（Xovr）：クロスオーバー。
【００６６】
図面の図３及び図４を詳細に参照すると、符号５０は、本発明による分割サイクルエンジンの例示的な実施形態を概略的に示している。図に示すように、エンジン５０は、クランクシャフト軸線５４の回りに時計回り方向に回転可能なクランクシャフト５２を含んでいる。クランクシャフト５２は、角度的に変位された隣接する先導及び従動のクランクスロー５６,５８を含み、それぞれはコネクティングロッド６０,６２に連結されている。
【００６７】
エンジン５０は、隣り合うシリンダの対、すなわち、クランクシャフト５２の反対側のシリンダの一端部においてシリンダヘッド７０によって閉じられている圧縮シリンダ６６と膨張シリンダ６８を画成するシリンダブロック６４をさらに備えている。
【００６８】
圧縮ピストン７２は、圧縮シリンダ６６内に収容され（それによって圧縮機（６６、７２）を定めている）、上死点（ＴＤＣ）と下死点（ＢＤＣ）の位置の間でのピストンの往復動のためにコネクティングロッド６２に連結されている。膨張ピストン７４は、膨張シリンダ６８内に収容され（それによって膨張機（６８、７４）を定めている）、そして同様のＴＤＣ/ＢＤＣの往復動のためにコネクティングロッド６０に連結されている。この実施形態では、膨張ピストン７４が２０度のクランク角の分、圧縮ピストン７２に先行している。換言すると、圧縮ピストン７２は、膨張ピストン７４がそのＴＤＣ位置に到達した後の２０度のクランクシャフトの回転で、そのＴＤＣ位置に達する。
【００６９】
図面に示された実施の形態は、１つだけの膨張シリンダを含む膨張機にクロスオーバー通路によって接続された、１つだけの圧縮シリンダを含む圧縮機を示しているが、圧縮機は、関連付けられ、及び膨張機に接続された複数の圧縮シリンダを含み、及び/又は膨張機は、関連付けられ、及び圧縮機に接続された複数の膨張シリンダを含んでもよいことが理解されるべきである。しかしながら、簡潔化の目的のために、以下の説明は、単一の膨張シリンダを有する膨張機と対の単一の圧縮シリンダを有する圧縮機に言及する。
【００７０】
以下により詳細に説明されるように、圧縮機の排気量（Ｖｄ）は膨張機の排気量（Ｖｄ）よりもかなり小さい。より具体的には、圧縮機の容量は、膨張機の排気量の９０％、８０％、７５％、又は７０％以下であってもよい。従って、ガスは、ミラーサイクル運転を可能にするために、圧縮ストロークで圧縮されるよりも膨張ストロークにおいてより多く膨張される。
【００７１】
シリンダヘッド７０は、シリンダ６６,６８内への、外への、及びその間でのガスの流れのための構造を提供している。ガスの流れの順において、シリンダヘッドは、吸気がそれを通して圧縮シリンダ６６内に引き込まれる吸気マニホールド（又は吸気ポート）７６、圧縮空気が圧縮シリンダ６６から膨張シリンダ６８に移送される、一対の個別のクロスオーバー（Xovr）通路（又はポート）７８及び７９、及び消費されたガスが膨張シリンダから排出される排気ポート８０を含んでいる。
【００７２】
圧縮シリンダ６６へのガスの流れは、内側に開くポペット型の吸気バルブ８２によって制御される。クロスオーバー通路７８、７９の各々への及び各々からのガスの流れは、一対の外側に開くポペット型のバルブ、すなわち、クロスオーバー通路７８、７９の入口端部におけるクロスオーバー圧縮（XovrC）バルブ８６及びクロスオーバー通路７８、７９の出口端部におけるクロスオーバー膨張（XovrE）バルブ８８によって制御されている。排気ポート８０からの排気ガスの流れは、内側に開くポペット型の排気バルブ９４によって制御される。これらのバルブ８２、８６、８８及び９４は、機械的に駆動されるカム、可変バルブ作動技術等のような任意の適切な方法で作動させることができる。
【００７３】
各クロスオーバー通路７８、７９は、その内部に配置された少なくとも１つの高圧燃料インジェクター９６を有している。当該燃料インジェクター９６は、クロスオーバー通路７８、７９内の圧縮空気の充填物に燃料を噴射するように動作する。
【００７４】
エンジン５０はまた、膨張シリンダ内の適切な場所に位置された１つ又は複数のスパークプラグ９８又は他の着火装置を含み、混合された燃料と空気の充填物が着火され、膨張ストローク中に燃焼され得る。
【００７５】
エンジン５０はまた、シリンダの吸気充填圧力を、１.７バール絶対圧以上（例えば、２バール絶対圧、２.３バール絶対圧、２.５バール絶対圧、３バール絶対圧以上）に上昇させることができるターボチャージャー１００、スーパーチャージャー又は同様のもののような昇圧装置を含んでいる。この実施形態では、ターボチャージャー１００は、ロータリーコンプレッサー１０４を駆動する排気タービン１０２を含んでいる。タービンは、エンジン５０の排気ポート８０から加圧された排気ガスを受け取るべく接続されている排気ガス入口１０６を有している。タービン１０２は、コンプレッサー１０４を駆動するために排気ガスの廃エネルギーを利用し、コンプレッサー１０４は空気入口１０８を介して大気圧下で周囲の空気を吸い込み、そして圧縮空気出口１１０を介して加圧された空気を排出する。圧縮された空気はインタークーラー１１２を通過し、大気圧よりも高く昇圧された絶対圧力で圧縮シリンダ６６の吸気マニホールド７６に入る。
【００７６】
ターボチャージャー１００はインタークーラーと相まって単段デバイスとして示されているが、他のタービンシステムも、本発明の範囲内であることを理解すべきである。したがって、昇圧装置は、複数の過給段階を含むことができ、複数段のインタークーラーに結合されてもよい。このようなターボチャージャーシステムの例としては、これらに限定されないが、２段階システム、並列シーケンシャルシステムや変調シリーズシーケンシャルシステムを含む。昇圧装置は、昇圧装置が吸入空気の圧力を大気圧以上の一定量に増加させることが可能である限り、特定の構造に特に限定されない。
【００７７】
現在の分割サイクルエンジン５０では、ターボチャージャー１００は圧縮の初期作業を行うために廃熱エネルギー（そうでなければ、大気中に廃棄されるエネルギー）を使用している。これは、自然吸気分割サイクルエンジンが所与の空気充填物のために達成するであろう圧縮終わりの制約（例えば、ピークシリンダ圧力、温度、ノックフラクション等）に到達するのに、エンジン５０の圧縮ピストン７２によって必要とされる全仕事を低減する。
【００７８】
したがって、その所定の制約（ピークシリンダ圧力、ノックフラクション等）の制限内でエンジン５０を運転させながら、ターボチャージャーシステム１００からのブーストを大きくすればするほど、全体的な圧縮仕事負荷が圧縮機６６、７２からより多くターボチャージャーのコンプレッサー１０４にシフトされ得る。結果として、膨張機６８に対する圧縮機６６の大きさは、エンジンの運転上の制約を超えずにブースト圧を増大することでもって徐々に低減することができる。この膨張機に対する圧縮機の小型化は、ミラー因子（すなわち、圧縮ストローク中のガスの圧縮に対しての膨張ストローク中のガスの膨張の比）を大幅に増加させ、それ故に、ブレーキ平均有効圧力（ＢＭＥＰ）を増加させ、ブレーキ燃料消費率（ＢＳＦＣ）を減少させる。
【００７９】
膨張機排気量に対して圧縮機排気量を減少させることは、吸気バルブ８２を最適に捕捉された質量（マス）状態（すなわち、７５％、８０％、８５％、９０％以上の吸気マニホールド状態に対して最適な圧縮機容積効率）又はそれに近い状態にまだ閉じながら、ミラーサイクル運転を可能にする。ミラーサイクル運転の結果をもたらすために圧縮シリンダ６６を小型化すると、同じミラーサイクル運転を実行するために早期又は遅期の吸気バルブの閉じを採用している従来のミラーサイクルエンジンに比べて、減少されたポンプ仕事に帰する。ポンプ仕事の低減は、分割サイクルエンジン５０の運転サイクルにおける高いピストン７２（したがって、空気）速度の期間中に、吸気バルブ８２を閉じることの回避によるものである。対照的に、吸気バルブがミラー運転のために徐々により遅く又はより早く閉じるとき（すなわち、圧縮機容積効率が次第に悪化するとき）は、ピストン速度とポンピング損失は、従来のエンジンにおいては大幅に増加するであろう。結果として、分割サイクルエンジン５０は、従来のエンジンよりもより積極的なミラー因子運転と利点を達成することができる。
【００８０】
加えて、分割サイクルエンジンでミラー運転を実現するために、圧縮機を小型化することは、圧縮機の排気量の一部を浪費しない。これに反して、全負荷時のミラー運転用に従来のエンジンを設定するためには、そのシリンダがその膨張ストロークの全排気量に対応できる大きさとされねばならず、その排気量の一部を圧縮ストローク中の早期もしくは遅期の吸気バルブの閉じに対応するために必然的に無駄にしなければならない。結果として、分割サイクルエンジンでの圧縮機の排気量の減少は、ミラーサイクル運転を伴う従来のエンジンに比べて概ねより高いブレーキ平均有効圧力（ＢＭＥＰ）を提供する。
【００８１】
図５に示されるように、最適なパフォーマンスのためには、圧縮機の排気量にブーストを一致させるように注意が払われなければならない。不十分なブースト及び/又は圧縮機排気量は、図５の左側に向かって示されるように、膨張機の充填不足に帰する。膨張機の容積効率が、望ましくなく低く（すなわち、周囲状態に対して測定されたとき０.９０より下）なった場合、パフォーマンスは最適でないことが見出されている。膨張機の容積効率が低すぎる場合には、それは、圧縮機が膨張機を満たすには十分な排気量を有していなかったこと、及びエンジン性能が低下するであろうことを示している。具体的には、エンジンで用いられている運転上の制約の範囲内での所与の昇圧レベルについて、図５に示されるように、分割サイクルエンジンは、圧縮機と膨張機の両方の容積効率が最適又はその近くにあるときに、最も効率的である。
【００８２】
図５において、ターボチャージャー１００は、エンジン５０の吸気マニホールド７６へ１.７バール絶対圧の一定のブーストを提供するように設定され、及び吸気バルブ８２の閉じ（ＩＶＣ）タイミングが、膨張シリンダ６８のピークシリンダ圧力（ＰＣＰ）の制約が所定の最大値を超えるのを防止するために利用されている。加えて、圧縮機（６６、７２）と膨張機（６８、７４）は、８７ｍｍの固定されたボア径を有するように設定され、膨張機はまた８７ｍｍの固定のストローク長さを有するように設定されている。圧縮機のストローク長さは、５０ｍｍから９０ｍｍに変化された（すなわち、圧縮機の排気量が、圧縮ピストン７２のストローク長さの大きさを変えることにより変化された）。
【００８３】
図５の上のグラフ１２０は、圧縮機のストローク長さの関数としてのブレーキ燃料消費率（ＢＳＦＣ）を示している。図５の中央のグラフ１２２は、圧縮機のストローク長さの関数としてのブレーキ平均有効圧力（ＢＭＥＰ）を示している。図５の下の二つのグラフ１２４、１２６は、圧縮機のストローク長さの関数としての容積効率を示し、圧縮機の容積効率１２６は吸気マニホールド状態を基準とされ、そして膨張機の容積効率１２４は周囲状態を基準とされている。
【００８４】
５０mmの圧縮機のストローク長さでは、圧縮機（６６、７２）の排気量は膨張機（６８、７４）の排気量のわずか５７％（すなわち、５０ｍｍ/８７ｍｍ=０.５７）である。この小型化された圧縮機の排気量では、吸気バルブ８２は、エンジン５０が膨張機シリンダ６８のピーク圧力限界より下で良好に運転を継続しながら、最大限の容積効率を提供するように作動することができる。すなわち、吸気バルブ８２は、最適に（すなわち最大に）捕捉された質量（マス）状態で閉じるようにタイミング付けられ、そこで吸気マニホールド７６の状態（理論容積効率の上限は１.００である）を基準としたとき、圧縮機の容積効率は約０.９２である。
【００８５】
しかしながら、５０ｍｍのストロークでは、０.９２の最大の容積効率で動作している場合であっても、このブーストレベルで膨張機を十分に満たすには圧縮機の大きさが小さすぎる。結果として、周囲の状態を基準としたときに０.８５（ここで、０.９０以下の膨張機の容積効率は望ましくないと考えられている）の値を有する膨張機の容積効率は、容認できないほど低い。したがって、望ましくはないが、ＢＭＥＰは約１０.８バール（グラフ１２２）に低下し、ＢＳＦＣは約２８５ｇ/kW-ｈｒ（グラフ１２０）に上昇する。
【００８６】
図５を参照するに、圧縮機ストローク長さが５０から６５ｍｍまで上がるとき、吸気バルブ８２は最適に捕捉された質量（マス）状態で閉じ続け、そして圧縮機は、０.９２の最大容積効率で動作し続ける。加えて、圧縮機のストロークが５０から６５ｍｍまで増加するにつれて、膨張機は圧縮機からより大きな量の充填空気を受け取るので、膨張機の容積効率は０.８５から１.１０に増加する。膨張シリンダ６８のピーク圧力は、膨張機の容積効率が１.１０に達するときのピーク圧力の所定の限界が達成されるまで、膨張機の容積効率が増加するにつれて継続的に上昇する。
【００８７】
６５ｍｍの圧縮機ストローク長さでの、圧縮機の排気量は、膨張機の排気量の７５％（すなわち、６５ｍｍ/８７ｍｍ=０.７５）である。この膨張機の容積に対する圧縮機の容積の比において、エンジン５０の運転状態は次の通りである。
1）  ブースト圧は１.７バール絶対圧、
2）  圧縮機の容積効率は、吸気マニホールドの状態に対して０.９２に最大化され、
3）  膨張機の容積効率は、周囲の状態に対して１.１０に最大化され、そして
4）  膨張機のピーク圧力は、その所定の最大限界である。
本質的に、１.７バール絶対圧の与えられた昇圧レベルに対して、膨張シリンダの所定のピーク圧力限界の範囲内で動作しながら、吸気マニホールドの状態に対しての０.９２の最適な圧縮機の容積効率を提供するために吸気バルブ８２はタイミング付けられ、周囲の状態に対しての１.１０の最大の膨張機の容積効率を提供するために、圧縮機の排気量は膨張機の排気量の７５％になるような大きさにされている。これらの最適化されたパラメータの下では、ミラーサイクル運転が最も有益であり、そしてエンジン５０は、１２.８バールのピークＢＭＥＰと２８２ｇ/ KW-hrの最小ＢＳＦＣで作動する。
【００８８】
分割サイクルエンジン５０（及び概略的に分割サイクルエンジン）は、理想的な運転パラメータ未満で機能することができ、そしてミラーサイクル運転から大きな利益を得ることができることに留意すべきである。しかしながら、ミラーサイクル運転の利点が分割サイクルエンジンで実用的な意義を有するためには、次の閾エンジン運転パラメータが満たされるか、それが超えられねばならない：
１）昇圧装置は、１．７バール絶対圧以上のブースト圧力レベルを吸気マニホールドに提供するように作動可能であること、
２）吸気バルブの閉じ事象が、吸気マニホールドの状態に対する０.７５以上の圧縮機の容積効率を提供するべくタイミング付けられていること、そして
３）圧縮機の排気量は、圧縮機の排気量とブースト圧力レベルの組み合わせが、周囲の状態に対する０.９０以上である膨張機の容積効率を提供するように、膨張機の排気量に見合った大きさにされていることである。
【００８９】
膨張機の容積効率は、主に二つのパラメータ、すなわち、吸気マニホールドへのブースト圧力レベルと膨張機の排気量に対する圧縮機の排気量とに依存していることにも留意すべきである。膨張機を満たし、そして必要な膨張機の容積効率を達成するために適切な空気質量（マス）を提供しているのは、主にブースト圧レベルと圧縮機の排気量の組み合わせである。
【００９０】
６５ｍｍを越える圧縮機ストロークについて図５を再び参照すると、所定のピーク膨張シリンダ圧力を超えることなく、０.９２の最大の圧縮機容積効率を維持するためには、圧縮機が膨張機に対して大き過ぎることになる。したがって、膨張機の容積効率を維持し、そして膨張シリンダのピーク圧力がその限界を超えることを防止するために、吸気バルブ８２は、圧縮機のストロークが増加するにつれ圧縮機の容積効率を犠牲にするように、それに応じて、より早く又はより遅くのいずれかで閉じられねばならない。結果として、ＢＳＦＣ及びＢＭＥＰの両方が悪化する。例えば、９０ｍｍの圧縮機ストローク長さでは、ＢＳＦＣは２８２ｇ/ kW-ｈｒから最大値の３０５ｇ/ kW-ｈｒに上昇し、そしてＢＭＥＰは１２.８バールから１０バールの最低に落ちている。
【００９１】
図６は、４０００rpmの全負荷状態でミラーサイクル運転中での種々のブーストレベルについて、ガソリンを燃料とする分割サイクルエンジン５０の容積効率特性を示す。この場合における制限的制約は、ガソリンエンジンの場合に、ピーク膨張シリンダ圧力が越えられる前に典型的には越えられるノックフラクションとなるべく選択された。前と同じように、エンジン５０の圧縮機（６６、７２）と膨張機（６８、７４）は共に８７ｍｍの固定ボア径を有するように設定され、そして膨張機はまた、８７ｍｍの固定ストローク長さを有するように設定された。従って、圧縮機の排気量は、圧縮ピストン７２のストローク長さの大きさを変えることにより変更された。
【００９２】
図５に示された場合とは異なり、吸気バルブ８２の吸気バルブの閉じ（ＩＶＣ）タイミングは変更されなかったということに注意することが重要である。むしろ、ＩＶＣタイミングは、ブーストレベルや圧縮機の排気量にかかわらず０.９０以上に圧縮機効率を最大化するべくその最適に捕捉された質量（マス）状態に固定された。
【００９３】
図６を参照するに、圧縮機ストローク長さに対して、３対の圧縮機と膨張機の容積効率グラフがプロットされている。各々の圧縮機容積効率グラフ１３２、１３６、１４０は吸気マニホールドの状態を基準にしており、各々の膨張機容積効率グラフ１３０、１３４、１３８は、周囲の状態を基準にしている。グラフ１３２及び１３０は、６０ｍｍから８０ｍｍの圧縮機のストローク範囲で、１.７バール絶対圧のブーストレベルについて、圧縮機（６６、７２）と膨張機（６８、７４）の容積効率をそれぞれ示している。グラフ１３６及び１３４は、５５ｍｍから７０ｍｍの圧縮機のストローク範囲で、２.０バール絶対圧のブーストレベルについて、圧縮機（６６、７２）と膨張機（６８、７４）の容積効率をそれぞれ示している。グラフ１４０及び１３８は、４５ｍｍから６５ｍｍの圧縮機のストローク範囲で、２.３バール絶対圧のブーストレベルについて、圧縮機（６６、７２）と膨張機（６８、７４）の容積効率をそれぞれ示している。
【００９４】
上記の各ケースでは、各ブーストレベル、すなわち、１.７、２.０及び２.３バール絶対圧について同一の所定のノックフラクション限界（１４２、１４４及び１４６）が到達されるまで、圧縮ストロークが掃引された。１.７バールのブーストでは、ノックフラクション限界１４２は約７７ｍｍの圧縮ストローク長さと約１.２８の膨張機の容積効率で到達された。２.０バールのブーストでは、ノックフラクション限界１４４は約６８ｍｍの圧縮ストローク長さと約１.３７の膨張機の容積効率で到達された。２.３バールのブーストでは、ノックフラクション限界１４６は約６２ｍｍ圧縮ストローク長さと約１.４３の膨張機の容積効率で到達された。
【００９５】
ガソリン分割サイクルエンジン５０の次の３つの重要な特性が、図６に示されたグラフのファミリィ（１３０、１３２、１３４、１３６、１３８及び１４０）から導きだされる。
1）  最大に捕捉された質量（マス）状態で吸気バルブを閉じて運転する場合は、圧縮機の容積効率（１３２、１３６、１４０）は、ブーストレベルや圧縮機の大きさに関係なく、本質的に一定のままである。
2）  同一のノックフラクション限界（１４２,１４４及び１４６）については、ブーストレベルが増加（１.７から２.０から２.３バール絶対圧）するにつれ、圧縮機の大きさはそれぞれ減少（７７ｍｍから６８ｍｍから６２ｍｍ）する。
3）  同一のノックフラクション限界（１４２、１４４及び１４６）について、膨張機の容積効率（１３０、１３４及び１３８）は、圧縮機の大きさが減少しているにもかかわらず、ブーストの増加に伴い増加している（１.２８から１.３７から１.４３へ）。結果として、膨張機の容積効率が増加しているので、質量（マス）空気と燃料の流れもまた増加しなければならず、それ故に、比出力もまた増加する。
【００９６】
図７を参照するに、温度対圧縮比較がミラー運転を利用した本分割サイクルエンジンのもう一つの利点を示している。グラフ１５０は、温度に対する、純粋なピストン圧縮装置（すなわち、自然吸気で、ミラー運転なし、ターボチャージャーなし）を有する分割サイクルエンジンの圧縮シリンダ内の圧縮圧力を示している。グラフ１５２は、温度に対する、ピストン圧縮に先立ってターボ過給及び中間冷却（すなわち、ミラー運転）の装置を有する分割サイクルエンジンの圧縮シリンダ内の圧縮圧力を示している。当該ターボ過給/中間冷却装備のグラフ１５２の結果は、純粋なピストン圧縮のグラフ１５０の圧縮圧力の終端における温度に比べて著しく低い最終温度に帰している。例えば、４０バール絶対圧の圧縮圧力の終わりでは、ターボ過給/中間冷却装備の圧縮シリンダ内の温度は、グラフ１５２に示すように、約４７５℃である一方、純粋なピストン圧縮装置の圧縮シリンダ内の温度は、グラフ１５０に示すように、約５５０℃である。
【００９７】
この低い温度の利点は、ターボ過給/中間冷却装備のミラーサイクルエンジンにとって、従来の、又は分割サイクルであるかによらず、一般的に事実である。しかしながら、従来のエンジンよりもより積極的なミラー因子運転を活用するための、前述した分割サイクルエンジンの能力は、分割サイクルエンジンが、従来のエンジンよりも全体の圧縮過程のより後半に中間冷却することを可能にしており、その結果、同じ圧力について従来のミラーサイクルエンジンの圧縮終了温度よりも低い温度に帰している。
【００９８】
図８から１０は、本分割サイクルエンジン５０でのミラーサイクルの性能向上においてのターボチャージャー効率の効果を示している。図８は、１４００RPMと４０００rpmの２つのエンジン速度での低効率及び高効率のターボチャージャーシステムについてのブーストレベルの関数として、全体的なターボチャージャー効率の代表値を示している。これらのターボチャージャー効率の見積もりは、ミラー分割サイクルエンジンの以下のサイクル分析に使用された。より具体的には、グラフ１６０は、１４００RPMでの楽観的な全体のターボチャージャー効率の見積りを表し、そしてグラフ１６２は１４００rpmでの悲観的な全体のターボチャージャー効率の見積もりを表している。加えて、グラフ１６４は、４０００RPMでの楽観的な全体のターボチャージャー効率を表し、そしてグラフ１６６は、４０００rpmでの悲観的な全体のターボチャージャー効率の見積りを表している。
【００９９】
全てのターボチャージャーシステムは独自のものであるが、ターボチャージャーシステムの（１４００RPMのような）低い速度での全体的なターボチャージャー効率は、同じターボチャージャーシステムの（４０００RPMのような）より高いエンジン速度での全体的なターボチャージャー効率と同じ程度には発散しないと概略的に言うことができる。これは、図８に示されており、ここでは、１４００rpmでの全体的な効率は、高く推定された効率のターボチャージャーグラフ１６０と低く推定された効率のターボチャージャーグラフ１６２の両方について、１.７バールブーストから２.９バールブーストの全ブースト範囲にわたる値において、比較的近くに留まっている。例えば、効率は、グラフ１６２と１６０のそれぞれで１.７バールのブーストでは約４７と５３の間で変化し、効率はグラフ１６２と１６０のそれぞれで２.９バールのブーストでは約４６と５２の間で変化している。
【０１００】
これとは対照的に、４０００rpmでの全体的なターボチャージャー効率は、高く推定された効率の場合のグラフ１６４と低く推定された効率の場合のグラフ１６６の間でブースト範囲にわたり顕著な相違を有している。例えば、グラフ１６６と１６４で１.７バール及び２.０バールのブーストの間での効率はほぼ同じである。しかしながら、２.０バールのブーストを超えると、グラフ１６６と１６４は、それらが２.９バールブーストに到達し、高く推定された効率のターボチャージャーについての全体的な効率が約４８（グラフ１６４）である一方、低く推定された効率のターボチャージャーの全体的な効率が約３２であるときまで実質的に発散する。これらの全体的なターボチャージャー効率とそれぞれの発散は、エンジン５０のようなターボ過給のミラー分割サイクルエンジンにおいて、図９及び１０に示されるように、エンジン性能に大きな影響を与える。
【０１０１】
図９は、図８に例示した高効率及び低効率のターボチャージャーの両方について、ブーストレベルの同じ範囲にわたっての、低いエンジン速度（１４００rpm）、かつ全負荷での（ＢＭＥＰとＢＳＦＣに関しての）エンジン性能を示している。固定のノックフラクションを維持するために、対応するブーストレベルとの組み合わせで必要とされる圧縮機のストロークの長さ（すなわち、圧縮機の大きさ）もまた、x-軸に重ねて表示されている。より具体的には、グラフ１７０は１４００RPMにおける高効率ターボチャージャーについてのＢＭＥＰを示し、そしてグラフ１７２は１４００rpmにおける低効率ターボチャージャーについてのＢＭＥＰを示している。また、グラフ１７４は１４００rpmにおける高効率ターボチャージャーについてのＢＳＦＣを示し、そしてグラフ１７６は１４００RPMでの低効率ターボチャージャーについてのＢＳＦＣを示している。高効率ターボチャージャーと低効率ターボチャージャーとの両方の１４００rpmにおける全体的なターボチャージャー効率は、１.７バールのブーストから２.９バールのブーストのブースト範囲にわたり（図８のグラフ１６０及び１６２に示されたように）互いにかなり近接して跡をたどっているので、図９のＢＳＦＣ曲線１７４,１７６及びＢＭＥＰ曲線１７０、１７２もまたそうであると分かる。
【０１０２】
図１０は、図８に例示した高効率及び低効率のターボチャージャーの両方についてブーストレベルの同じ範囲にわたって、高いエンジン速度（４０００RPM）、かつ全負荷での（ＢＭＥＰとＢＳＦＣに関しての）エンジン性能を示している。固定のノックフラクションを維持するために、対応するブーストレベルとの組み合わせで必要とされる圧縮機のストロークの長さ（すなわち、圧縮機の大きさ）もまた、x-軸に重ねて表示されている。より具体的には、グラフ１８０は４０００rpmにおける高効率ターボチャージャーについてのＢＭＥＰを示し、グラフ１８２は４０００rpmにおける低効率ターボチャージャーについてのＢＭＥＰを示している。また、グラフ１８４は、４０００RPMでの高効率ターボチャージャーについてのＢＳＦＣを示し、グラフ１８６は４０００RPMで低効率ターボチャージャーについてのＢＳＦＣを示している。
【０１０３】
１.７から２.０バールのブーストの範囲内で、高効率ターボチャージャーと低効率ターボチャージャーの両方の４０００rpmでの全体的なターボチャージャー効率は、（図８のグラフ１６４及び１６６に示されるように）、互いかなり近接して跡をたどる。結果として、図９のＢＳＦＣ曲線１８４,１８６及びＢＭＥＰ曲線１８０、１８２はまた、１.７から２.０バールの同じブースト範囲にわたり互いにかなり近接して跡をたどる。
【０１０４】
しかしながら、２.０バールから２.９バールの高いブーストレベルにおいて、高効率ターボチャージャーと低効率ターボチャージャーの両方の４０００rpmにおける全体的なターボチャージャー効率は（再度、図８のグラフ１６４及び１６６に示されたように）急速に発散する。従って、関連するＢＳＦＣ曲線１８４,１８６及びＢＭＥＰ曲線１８０、１８２もまた、２.０から２.９バールの同じブースト範囲で急速に発散する。
【０１０５】
図９と１０の更なる比較が、低い及び高いエンジン速度運転での圧縮機ストローク長さについての許容できるトレードオフは約５５ｍｍであることを明らかにしている。８７ｍｍの固定の膨張機ストローク長さに基づけば、圧縮機の排気量は膨張機の排気量の約６３％（すなわち、５５ｍｍ／８７ｍｍ=０.６３）である。図１１に移るに、エンジン５０は、５５ｍｍのストローク長を有する圧縮機と８７ｍｍのストローク長さを有する膨張機のための大きさにされている。圧縮機と膨張機の両方のボアの直径は８７ｍｍに固定された。エンジン速度は、全負荷で１４００から４０００RPMまで変えられ、そして３バール絶対圧以下のターボブーストが適用された。ターボチャージャーシステムの全体的な効率は、図８の低効率ターボチャージャーシステムのものであると仮定された（すなわち、１４００RPMでグラフ１６２及び４０００RPMでグラフ１６６）。
【０１０６】
したがって、図１１において、グラフ１９０は、１４００から４０００RPMの速度範囲の全体にわたるこの実施形態のエンジン５０についての全負荷ＢＭＥＰである。グラフ１９２は、速度範囲の全体にわたるバール絶対圧（左のy-軸から読み取られる）でのピーク膨張シリンダ圧力を示している。グラフ１９４は、速度範囲の全体にわたるバール絶対圧（また、左のy-軸から読み取られる）でのピーク圧縮シリンダ圧力を表している。一般的にエンジン速度とＢＭＥＰと共に増加する、得られた圧縮シリンダ６６のピーク圧力と膨張シリンダ６８のピーク圧力は、ほとんどのパフォーマンス向上スキームを提供するとき増加される膨張仕事の代わりに減少される圧縮仕事のせいで、増加されたＢＭＥＰを提供する積極的なミラー因子に起因して低い。例を挙げると、４０００rpmのエンジン速度と約１９バールのエンジンＢＭＥＰで、ピーク膨張シリンダ圧力は約９４バール絶対圧であり、ピーク圧縮シリンダ圧力は約７９バール絶対圧である。
【０１０７】
一般的に、ピークシリンダ圧力が低ければ低いほど、エンジン性能と重量のためにはより有利である。したがって、３５００RPM以上のエンジン速度と１５バール以上のエンジンＢＭＥＰを有するガソリン分割サイクルエンジンのためには、１２０バール未満のピーク膨張シリンダ圧力を有することが望ましく、１１０バール未満のピーク膨張シリンダ圧力を有することがより望ましく、そして１００バール未満のピーク膨張シリンダ圧力を有することが最も望ましい。さらに、３５００RPM以上のエンジン速度と１５バール以上のエンジンＢＭＥＰを有するガソリン分割サイクルエンジンのためには、１００バール未満のピーク圧縮シリンダ圧力を有することが望ましく、９０バール未満のピーク圧縮シリンダ圧力を有することがより望ましく、そして８０バール未満のピーク圧縮シリンダ圧力を有することが最も望ましい。
【０１０８】
ここに記載された本発明及び本発明の実施形態は、特定の燃料に限られない。当業者は、本発明が任意の往復動内燃機関（例えば、ガソリン、ディーゼル、天然ガス等）への適用に適した任意の燃料でもって利用され得ることを認識するであろう。
【０１０９】
本発明が特定の実施例を参照して説明されたが、多数の変更が記載された本発明の概念の精神及び範囲内でなされ得ることが理解されるべきである。したがって、本発明は上記実施形態に限定されるものではなく、以下の特許請求の範囲の言語で定義された全範囲を有していることが意図されている。
【図１】
2013533424.tif 000003
【図２Ａ】
2013533424.tif 000004
【図２Ｂ】
2013533424.tif 000005
【図３】
2013533424.tif 000006
【図４】
2013533424.tif 000007
【図５】
2013533424.tif 000008
【図６】
2013533424.tif 000009
【図７】
2013533424.tif 000010
【図８】
2013533424.tif 000011
【図９】
2013533424.tif 000012
【図１０】
2013533424.tif 000013
【図１１】
2013533424.tif 000014
【国際調査報告】
2013533424.tif 000015